(57)【特許請求の範囲】
【請求項１】
モバイルマルチメディア放送システムにおける階層送信方法であって、
ビデオサービスにおけるビデオストリームをベース層ストリーム及び少なくとも１つのエンハンスメント層ストリームに分割し、
前記ベース層ストリーム及び少なくとも１つのエンハンスメント層ストリームを、それぞれが属する層に応じて、放送チャネルフレームにおける異なる多重サブフレームにそれぞれカプセル化し、
前記ビデオストリームの各層のストリームが位置する多重サブフレームの位置情報を前記放送チャネルフレームにカプセル化して送信する
ことを含み、
前記各層のストリームが位置する多重サブフレームの間の間隔は、所定の閾値により設定された時間の長さであり、
前記各層のストリームが位置する多重サブフレームが所属する多重フレームは異なり、かつ、前記各層のストリームが位置する多重サブフレームのフレーム番号は同じである
ことを特徴とするモバイルマルチメディア放送システムにおける階層送信方法。
【請求項２】
前記ビデオサービスにおけるオーディオストリーム及び他の基本データストリームは、ベース層ストリームが位置する多重サブフレームで搬送される
ことを特徴とする請求項１に記載の方法。
【請求項３】
モバイルマルチメディア放送システムにおける階層受信方法であって、
受信端末が、ビデオサービスのビデオストリームの各層のストリームが位置する、放送チャネルフレームの多重サブフレームの位置情報を監視し、
当該受信端末のビデオストリームの処理能力に応じて、ベース層ストリームを受信し、又はベース層ストリーム及び対応するエンハンスメント層ストリームを受信し、
前記ベース層ストリーム、又は前記ベース層ストリーム及び対応するエンハンスメント層ストリームを復号化し、
ベース層ストリームのビデオデータ、又はベース層ストリームとエンハンスメント層ストリームとの結合により生成されたビデオデータを出力する
ことを含み、
前記各層のストリームが位置する多重サブフレームの間の間隔は、所定の閾値により設定された時間の長さであり、
前記各層のストリームが位置する多重サブフレームが所属する多重フレームは異なり、かつ、前記各層のストリームが位置する多重サブフレームのフレーム番号は同じである
ことを特徴とするモバイルマルチメディア放送システムにおける階層受信方法。
【請求項４】
ベース層ストリームを復号化するときに、ビデオサービスにおけるオーディオストリーム及びデータストリームを一緒に復号化する
ことを更に含むことを特徴とする請求項３に記載の方法。
【請求項５】
モバイルマルチメディア放送システムにおける階層送信装置であって、
ビデオサービスにおけるビデオストリームを、順次、ベース層ストリーム及び少なくとも１つのエンハンスメント層ストリームに分割するための多層分割ユニットと、
前記ベース層ストリーム及び少なくとも１つのエンハンスメント層ストリームを、それぞれが属する層に応じて、放送チャネルフレームにおける異なる多重サブフレームにそれぞれカプセル化するための第１カプセル化ユニットと、
前記ビデオストリームの各層のストリームが位置する多重サブフレームの位置情報を生成するための位置情報生成ユニットと、
前記ビデオストリームの各層のストリームが位置する多重サブフレームの位置情報を前記放送チャネルフレームにカプセル化するための第２カプセル化ユニットと、
前記放送チャネルフレームを受信端末に送信するための送信ユニットと
を含み、
前記ビデオストリームの各層のストリームが位置する多重サブフレームの間の間隔は、所定の閾値により設定された時間の長さであり、
前記ビデオストリームの各層のストリームが位置する多重サブフレームが所属する多重フレームは異なり、かつ、前記ビデオストリームの各層のストリームが位置する多重サブフレームのフレーム番号は同じである
ことを特徴とするモバイルマルチメディア放送システムにおける階層送信装置。
【請求項６】
モバイルマルチメディア放送システムにおける階層受信装置であって、
ビデオサービスのビデオストリームの各層のストリームが位置する、放送チャネルフレームの多重サブフレームの位置情報を監視するための監視ユニットと、
受信ユニットが所属する受信端末のビデオストリームの処理能力に応じて、ベース層ストリームを受信し、又は前記ベース層ストリーム及び対応するエンハンスメント層ストリームを受信するための受信ユニットと、
前記ベース層ストリーム、又は前記ベース層ストリーム及び対応するエンハンスメント層ストリームを復号化するための復号化ユニットと、
前記ベース層ストリームのビデオデータ、又は前記ベース層ストリームとエンハンスメント層ストリームとの結合により生成されたビデオデータを出力するための出力ユニットと
を含み、
前記ビデオストリームの各層のストリームが位置する多重サブフレームの間の間隔は、所定の閾値により設定された時間の長さであり、
前記ビデオストリームの各層のストリームが位置する多重サブフレームが所属する多重フレームは異なり、かつ、前記ビデオストリームの各層のストリームが位置する多重サブフレームのフレーム番号は同じである
ことを特徴とするモバイルマルチメディア放送システムにおける階層受信装置。
【発明の詳細な説明】
【技術分野】
【０００１】
本発明は、モバイルマルチメディア放送システムにおける伝送技術に関し、特に、中国モバイルマルチメディア放送システム（ＣＭＭＢ：Ｃｈｉｎａ  Ｍｏｂｉｌｅ  Ｍｕｌｔｉｍｅｄｉａ  Ｂｒｏａｄｃａｓｔｉｎｇ）におけるビデオストリームの階層送信方法、階層受信方法、階層送信装置、及び階層受信装置に関する。
【背景技術】
【０００２】
技術の発展に伴って、マルチメディア放送技術、特に、モバイルマルチメディア放送技術は急速に発展してきている。現在、マルチメディア放送技術として広く利用されている標準は、デジタルビデオ放送−携帯（ＤＶＢ−Ｈ：Ｄｉｇｉｔａｌ  Ｖｉｄｅｏ  Ｂｒｏａｄｃａｓｔ−Ｈａｎｄｈｏｌｄ）、地上デジタルマルチメディア放送（Ｔ−ＤＭＢ：Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ）、ＣＭＭＢ等である。
【０００３】
ＤＶＢ−Ｈには、階層変調を用いてネットワークを構築する技術が採用され、システムにおける２つの単独な多重化層が同一チャネルを共有することが許容されている。異なる機能及び受信環境を有する端末に同一ビデオコンコンテンツを自己適応的に選択及び利用させて、最大限にユーザの体験品質を向上させるために、従来において、階層変調を用いて２つの異なる符号化率で同一ビデオコンテンツを送信する方法が提案されている。しかしながら、このような方法は、２つの多重化コンテンツの間に所定の冗長が存在し、チャネル帯域幅の浪費が大きいといった欠陥がある。
【０００４】
その後、上記方法に基づく改良がなされ、階層変調ではなく、ビデオ階層符号化の方式で同一ビデオコンテンツの２つのレイヤの情報を送信する方法が採用されている。ベース層ストリームは、単独で復号化することができ、エンハンスメント層ストリームは、ベース層ストリームの品質を向上させるための付加情報を含む。ビデオ階層エンコーダは、ビデオコンテンツソースを符号化でき、単独で復号化可能な１つのベース層ストリームと、Ｌ個のエンハンスメント層ストリームとを含むＬ+１層ストリームを生成することができる。ここで、エンハンスメント層ストリームは、ビデオ品質を向上させるために、ベース層ストリームの品質を向上させるための付加情報を含み、ベース層と一緒に復号化される必要がある。すべての層のストリームは、集まめられて最高のビデオ品質を提供する。現在、主なビデオ階層符号化方式は、スケーラブル映像符号化（ＳＶＣ：Ｓｃａｌａｂｌｅ  Ｖｉｄｅｏ  Ｃｏｄｉｎｇ）である。
【０００５】
ＣＭＭＢ標準には、放送サービスの周波数範囲において、モバイルマルチメディア放送システムにおける放送チャネル伝送信号のフレーム構造、チャネル符号化及び変調方式が規定されている。ＣＭＭＢ標準「モバイルマルチメディア放送の第２部分：多重」においては、多重サブフレームを用いてビデオ、オーディオ等のストリーミングメディアデータをカプセル化して送信することが規定されている。図１は、ＣＭＭＢチャネルフレームのアーキテクチャである。図１に示すように、１つのＣＭＭＢチャネルフレームは、４０個のタイムスロットに分割される。各タイムスロットは２５ｍｓである。１つの多重フレームは、任意に１つ又は複数のタイムスロットを占拠することができ、多重フレームは、多重フレーム識別子ＭＦ＿ＩＤで識別される。ＭＦ＿ＩＤが０である場合、制御チャネルの多重フレームであることを示し、０ではない場合、通常の多重フレームであることを示す。タイムスロット０は、多重フレームの制御情報、即ちフレームヘッダ及び制御情報リストから構成される制御情報多重フレームを伝送する。１つの多重フレームは、多重フレームヘッダ、多重フレームペイロード及びフィラーから構成され、様々なサービスデータが多重ペイロードで搬送される。多重フレームペイロードは、複数の多重サブフレームに分割され、各多重サブフレームは１つのサービスを伝送することに用いられる。各多重サブフレームは、多重サブフレームヘッダと、セグメントから構成されるロードとから構成され、セグメントは、サービスのビデオデータ、オーディオデータ及び他のデータをそれぞれ搬送するビデオセグメント、オーディオセグメント、及びデータセグメントに分けられる。
【０００６】
しかしながら、ＣＭＭＢシステムは、階層変調をサポートしておらず、また、ＣＭＭＢシステムにおいて階層符号化ビデオサービスを如何にしてサポートするかについては、まだ解決策がない。
【発明の概要】
【発明が解決しようとする課題】
【０００７】
これに鑑みて、本発明の主な目的は、ユーザ端末の多階層サービス要求を満たすように、ＣＭＭＢシステムにおいてビデオサービスを階層的に送信することができるモバイルマルチメディア放送システムにおける階層送信方法、階層受信方法、階層送信装置、及び階層受信装置を提供することにある。
【課題を解決するための手段】
【０００８】
上記目的を達成するために、本発明の技術的なスキームは、以下のように実現されている。
モバイルマルチメディア放送システムにおける階層送信方法であって、
ビデオサービスにおけるビデオストリームを、順次、ベース層ストリーム及び少なくとも１つのエンハンスメント層ストリームに分割し、
前記ベース層ストリーム及び少なくとも１つのエンハンスメント層ストリームを。それぞれが属する層に応じて、放送チャネルフレームにおける異なる多重サブフレーム中にそれぞれカプセル化し、
前記ビデオストリームの各層のストリームが位置する多重サブフレームの位置情報を、前記放送チャネルフレームにカプセル化して受信端末に送信する
ことを含むモバイルマルチメディア放送システムにおける階層送信方法。
【０００９】
好ましくは、前記各層のストリームが位置する多重サブフレームの間の間隔は、所定の閾値により設定された時間の長さである。
【００１０】
好ましくは、前記各層のストリームが位置する多重サブフレームが所属する多重フレームは異なる。
【００１１】
好ましくは、前記各層のストリームが位置する多重サブフレームのフレーム番号は同じである。
【００１２】
好ましくは、前記ビデオサービスにおけるオーディオストリーム及びデータストリームは、ベース層ストリームが位置する多重サブフレームで搬送される。
【００１３】
モバイルマルチメディア放送システムにおける階層受信方法であって、
ビデオサービスのビデオストリームの各層のストリームが位置する、放送チャネルフレームの多重サブフレームの位置情報を監視し、
受信端末が自己のビデオストリーム処理能力に応じて、ベース層ストリーム、又はベース層ストリーム及び対応するエンハンスメント層ストリームを受信し、
ベース層ストリーム、又はベース層ストリーム及び対応するエンハンスメント層ストリームを復号化し、ベース層ストリームのビデオデータ、又はベース層ストリームとエンハンスメント層ストリームとの結合により生成されたビデオデータを出力する
ことを含むモバイルマルチメディア放送システムにおける階層受信方法。
【００１４】
好ましくは、前記方法は、ベース層ストリームを復号化するときに、ビデオサービスにおけるオーディオストリーム及びデータストリームを一緒に復号化することを更に含む。
【００１５】
モバイルマルチメディア放送システムにおける階層送信装置であって、
ビデオサービスにおけるビデオストリームを、順次、ベース層ストリーム及び少なくとも１つのエンハンスメント層ストリームに分割するための多層分割ユニットと、
前記ベース層ストリーム及び少なくとも１つのエンハンスメント層ストリームをそれぞれが属する層に応じて放送チャネルフレームにおける異なる多重サブフレームにそれぞれカプセル化するための第１カプセル化ユニットと、
前記ビデオストリームの各層のストリームが位置する多重サブフレームの位置情報を生成するための位置情報生成ユニットと、
前記ビデオストリームの各層のストリームが位置する多重サブフレームの位置情報を前記放送チャネルフレームにカプセル化するための第２カプセル化ユニットと、
前記放送チャネルフレームを受信端末に送信するための送信ユニットと
を含むモバイルマルチメディア放送システムにおける階層送信装置。
【００１６】
好ましくは、前記ビデオストリームの各層のストリームが位置する多重サブフレームの間の間隔は、閾値により設定された時間の長さである。
【００１７】
好ましくは、前記ビデオストリームの各層のストリームが位置する多重サブフレームが所属する多重フレームは異なる。
【００１８】
好ましくは、前記ビデオストリーム各層のストリームが位置する多重サブフレームのフレーム番号は同じである。
【００１９】
モバイルマルチメディア放送システムにおける階層受信装置であって、
ビデオサービスのビデオストリームの各層のストリームが位置する、放送チャネルフレームの多重サブフレームの位置情報を監視するための監視ユニットと、
受信ユニットが所属する受信端末のビデオストリームの処理能力に応じて、ベース層ストリームを受信し、又は前記ベース層ストリーム及び対応するエンハンスメント層ストリームを受信するための受信ユニットと、
前記ベース層ストリーム、又は前記ベース層ストリーム及び対応するエンハンスメント層ストリームを復号化するための復号化ユニットと、
前記ベース層ストリームのビデオデータ、又は前記ベース層ストリームとエンハンスメント層ストリームとの結合により生成されたビデオデータを出力するための出力ユニットと
を含むモバイルマルチメディア放送システムにおける階層受信装置。
【発明の効果】
【００２０】
本発明において、ビデオサービスにおけるビデオストリームに対して階層符号化を行い、各階層ビデオストリームをＣＭＭＢ放送チャネルフレームの異なる多重サブフレームにそれぞれカプセル化し、ビデオストリームデータを送信するときに、ＣＭＭＢ放送チャネルフレームにおいて各階層ビデオストリームを搬送する多重サブフレームの位置情報を一緒に受信端末に送信する。受信端末は、ＣＭＭＢ放送チャネルフレームにおいて各階層ビデオストリームを搬送する多重サブフレームの位置情報の監視と、当該受信端末によってサポートされるビデオストリームのデコーディング能力とによって、ベース層ストリームのみを受信するか、又はベース層ストリーム及びそれに対応するエンハンスメント層ストリームを受信するかを決定し、受信されたベース層ストリーム、又はベース層ストリーム及びそれに対応するエンハンスメント層ストリームを復号化し、ユーザに出力する。本発明では、階層ビデオストリームのデータの送信において、独立したチャネルが必要とされず、各階層ビデオストリームデータは、同じチャネル層及び変調層を共有することができ、ＣＭＭＢシステムは、階層復号化をサポートしていない受信端末を自動的に後方互換することができる。受信端末は、自己の能力に応じて、ベース層データを受信するか、又はベース層データ及びその対応の強化層データを受信するかを選択することができる。
【図面の簡単な説明】
【００２１】
【図１】ＣＭＭＢチャネルフレームのアーキテクチャである。
【図２】本発明に係るモバイルマルチメディア放送システムにおいて階層送信方法のフローチャートである。
【図３】本発明に係る放送チャネルフレームのアーキテクチャである。
【図４】本発明に係るモバイルマルチメディア放送システムにおける階層受信方法のフローチャートである。
【図５】本発明に係るモバイルマルチメディア放送システムにおける階層送信装置のアーキテクチャである。
【図６】本発明に係るモバイルマルチメディア放送システムにおける階層受信装置のアーキテクチャである。
【発明を実施するための形態】
【００２２】
本発明の基本的な着想は、ビデオサービスにおけるビデオストリームに対して階層符号化を行い、各階層ビデオストリームをＣＭＭＢ放送チャネルフレームの異なる多重サブフレームにそれぞれカプセル化し、ビデオストリームのデータを送信するときに、ＣＭＭＢ放送チャネルフレームにおいて各階層ビデオストリームを搬送する多重サブフレームの位置情報を一緒に受信端末に送信し、受信端末は、ＣＭＭＢ放送チャネルフレームにおいて各階層ビデオストリームを搬送する多重サブフレームの位置情報の監視と、当該受信端末によってサポートされるビデオストリームのデコーディング能力とによって、ベース層ストリームのみを受信するか、又はベース層ストリーム及びそれに対応するエンハンスメント層ストリームを受信するかを決定し、受信したベース層ストリーム、又はベース層ストリーム及びそれに対応するエンハンスメント層ストリームを復号化し、ユーザに出力する、というものである。本発明では、階層ビデオストリームのデータの送信において、独立したチャネルが必要とされず、各階層ビデオストリームデータは、同じチャネル層及び変調層を共有することができ、ＣＭＭＢシステムは、階層復号化をサポートしていない受信端末を自動的に後方互換することができる。受信端末は自己の能力に応じて、ベース層データを受信するか、又はベース層データ及びその対応の強化層データを受信するかを選択することができる。本発明に係るスキームは簡単に実現され、また実用的である。
【００２３】
本発明の目的、技術的なスキーム及びメリットを更に明瞭にするために、以下、実施例を挙げて図面を参照しながら、本発明を詳細に説明する。
【００２４】
図２は、本発明に係るモバイルマルチメディア放送システムにおける階層送信方法のフローチャートである。図２に示すように、本発明に係るモバイルマルチメディア放送システムにおける階層送信方法は以下のステップを含む。
【００２５】
ステップ２０１において、ビデオサービスにおけるビデオストリームを、順次、ベース層ストリーム及び少なくとも１つのエンハンスメント層ストリームに分割し、そして前記ベース層ストリーム及び少なくとも１つのエンハンスメント層ストリームをそれぞれが属する層に応じて、放送チャネルフレームにおける異なる多重サブフレームにそれぞれカプセル化し、同時に、前記ビデオストリームの各層のストリームが位置する多重サブフレームの位置情報を前記放送チャネルフレームにカプセル化する。
【００２６】
特に、ビデオサービスにおけるビデオストリームは、前記ＳＶＣ方式で符号化され、符号化された後、基本的なビデオデータストリームとビデオサービスにおけるオーディオ及び他の基本データ情報とを含む１つのベース層ストリームと、１つ以上のエンハンスメント層ストリームとが生成される。当該ベース層ストリームは通常の受信端末に対して送られる。受信端末は、ベース層ストリームを復号化することで、基本的なビデオサービスを取得するが、しかし、取得した基本ビデオサービスの画像品質は普通である。エンハンスメント層ストリームはビデオサービスにおけるビデオ画像を最適化することができるが、その実現には、ベース層ストリームの復号化データが必要とされる。発展型ビデオ処理をサポートする受信端末は、ベース層ストリームデータを受信する以外に、対応するエンハンスメント層ストリームも受信し、ベース層ストリーム及びそれに対応するエンハンスメント層ストリームをそれぞれ復号化し、これにより、優れたビデオ画像を取得することができ、ビデオサービスの最適化が実現される。
【００２７】
ＣＭＭＢシステムは、ベース層ストリーム及びエンハンスメント層ストリームを、それらの層ストリームが属する各層に基づき、別々に処理する。特に、ベース層ストリーム、エンハンスメント層ストリームは、その所属する層に応じて、放送チャネルフレームにおいて異なる多重サブフレームで搬送される。ビデオストリームを受信する信頼性を保証するために、ＣＭＭＢシステムにマルチキャストサービスをサポートさせるように、好ましくは、各層のストリームを搬送する多重サブフレームの間に所定の時間間隔が開けられていてもよい。好ましくは、各層のストリームの多重サブフレームは、異なる多重フレームに位置していてもよい。各層のストリームが位置する多重サブフレームの位置情報が簡単に記述されるように、好ましくは、各層のストリームは、各多重フレームにおける同じ番号の多重サブフレームに位置する。基本的には、ビデオストリームは、それほど多くの層に分割されるべきではなく、一般的には、２〜３層である。即ち、１つのベース層ストリームは、一般的に１つ又は２つの対応するエンハンスメント層ストリームによって提供される。この場合、階層ビデオストリームは、ＣＭＭＢチャネル放送フレームの多量のリソースを占拠することはない。以下、具体的な例を挙げて本発明に係る技術的なスキームの本質を更に説明する。
【００２８】
ビデオサービスＳが１つのビデオデータと１つのオーディオとを含むテレビサービスであり、ビデオサービスＳの映像符号化がＳＶＣを用いて行われ、符号化された後、１つのベース層ビデオストリームと１つの強化層ビデオストリームとが生成される場合を想定する。図３は、本発明に係る放送チャネルフレームのアーキテクチャである。図３に示すように、ある周波数Ｆに４０個のタイムスロットがあり、ここで、タイムスロット０（即ち多重フレーム０）は制御情報を送信することに用いられ、タイムスロット１〜タイムスロット３９はサービス情報を送信することに用いられる。ビデオサービスＳのビデオベース層ストリーム、オーディオ及び他の基本データ情報が、多重化装置によって、タイムスロット１〜タイムスロット４を占拠する多重フレーム１における多重サブフレーム１に配置される。ビデオサービスＳのビデオエンハンスメント層ストリームは、タイムスロット５〜タイムスロット６を占拠する多重フレーム２における多重サブフレーム１に配置される。多重フレーム１及び多重フレーム２において他のサービスを伝送することはない。サービスの制御情報及び電子サービスガイド（ＥＳＧ：Ｅｌｅｃｔｒｏｎｉｃ  Ｓｅｒｖｉｃｅ  Ｇｕｉｄｅ）の情報に、各層のストリーム（ベース層ストリーム及びそれに対応する各エンハンスメント層ストリーム）を搬送する多重フレームの位置の記述情報が加えられる。当該記述情報は、ビデオサービスＳにおいて、サービスのベース層ストリームデータを搬送する多重フレーム１の多重サブフレーム１と、エンハンスメント層ストリームデータを搬送する多重フレーム２の多重サブフレーム１との２つの多重サブフレームの位置を示す。
【００２９】
多重化装置は、ビデオサービスＳのベース層ストリームＶ１を取得して、多重フレーム１の多重サブフレーム１にカプセル化し、ビデオサービスＳのエンハンスメント層ストリームＶ２を取得して、多重フレーム２の多重サブフレーム１にカプセル化する。多重化装置は、ビデオサービスＳのオーディオストリーム及び他の基本データセグメント情報も取得し、それらを多重フレーム１の多重サブフレーム１に追加する。即ち、ビデオサービスＳのオーディオストリーム及び他の基本データセグメント情報は、ベース層ストリームと一緒に同一多重サブフレームで搬送される。各層のストリームの多重フレーム位置を受信端末に示して、受信端末がビデオサービスＳを容易に受信することができるようにするために、各層のストリームを搬送する多重フレーム位置の記述情報は、放送チャネルフレームにおける多重フレーム０で搬送される。
【００３０】
ステップ２０２において、前記放送チャネルフレームを送信する。
各層のストリームを搬送する多重フレームが多重化装置によって出力され、変調送信によって、放送信号が形成される。前述の例に基ついて説明すると、一体とされた多重フレーム１及び多重フレーム２が多重化装置よって出力され、変調送信よる放送が形成される。
【００３１】
図４は、本発明に係るモバイルマルチメディア放送システムにおける階層受信方法のフローチャートである。図４に示すように、本発明に係るモバイルマルチメディア放送システムにおける階層受信方法は、以下のステップを含む。
【００３２】
ステップ４０１において、受信端末は、ビデオサービスにおけるビデオストリームの各層のストリームが位置する、放送チャネルフレームの多重サブフレームの位置情報を監視し、そして、受信端末は、自己のビデオストリームの処理能力に応じて、ベース層ストリームを受信し、又はベース層ストリーム及び対応するエンハンスメント層ストリームを受信する。
【００３３】
受信端末は、マルチメディア放送サービスを正確に受信するために、放送チャネルフレームにおける多重フレーム０を監視して、制御情報及びＥＳＧ情報を受信する。受信端末は、同時に、階層ビデオサービスにおいて各層のストリームが位置する多重サブフレームの位置情報を監視する。受信端末は、自己の処理能力に応じて、ベース層ストリームが位置する多重サブフレームのみを受信するか、又はベース層ストリーム及びそれに対応するエンハンスメント層ストリームを受信するかを判定する。なお、受信端末によってエンハンスメント層ストリームが受信されるかどうかは、処理能力に応じて決定され、処理能力が高い受信端末は、システムによって送信されたすべてのエンハンスメント層ストリームを処理することができ、一方で、処理能力が低い受信端末は、当該受信端末能力に対応するエンハンスメント層ストリームのみを受信することができる。もちろん、受信端末によって取得されたビデオサービスの画像品質も異なり、処理能力が高い受信端末に取得されたビデオサービスの画像は相対的によくなる。あるいは、立体再生効果をサポートする機能などの、対応するビデオサービス機能に合わせることもできる。基本受信端末は、ベース層ストリームのみを受信することができ、基本的なビデオ画像のみを出力する。
【００３４】
ステップ４０２において、ベース層ストリーム、又はベース層ストリーム及び対応するエンハンスメント層ストリームを復号化し、ベース層ストリームのビデオデータ、又はベース層ストリームとエンハンスメント層ストリームとの結合により生成されたビデオデータを出力する。
【００３５】
受信端末は、受信したベース層ストリーム、又はベース層ストリーム及び対応するエンハンスメント層ストリームを復号化し、ベース層ストリームに対応するビデオサービスを出力するが、エンハンスメント層ストリームを受信した受信端末は、受信したベース層ストリーム及びそのエンハンスメント層ストリームをそれぞれ復号化し、そしてベース層ストリーム及びそのエンハンスメント層ストリームにおけるビデオストリームのデータを結合し、画像品質がよい又は対応する機能（例えば立体再生機能）をサポートするビデオサービスを出力する。
【００３６】
図５は、本発明に係るモバイルマルチメディア放送システムにおける階層送信装置のアーキテクチャである。図５に示すように、本発明に係るモバイルマルチメディア放送システムにおける階層送信装置は、多層分割ユニット５０、第１カプセル化ユニット５１、位置情報生成ユニット５２、第２カプセル化ユニット５３及び送信ユニット５４を含む。ここで、多層分割ユニット５０は、ビデオサービスにおけるビデオストリームを、順次、ベース層ストリーム及び少なくとも１つのエンハンスメント層ストリームに分割することに用いられ、このユニットは、ＳＶＣエンコーダによって実現される。第１カプセル化ユニット５１は、前記ベース層ストリーム及び少なくとも１つのエンハンスメント層ストリームをそれぞれが属する層に応じて、放送チャネルフレームにおける異なる多重サブフレームにそれぞれカプセル化することに用いられる。位置情報生成ユニット５２は、前記ビデオストリームの各層のストリームが位置する多重サブフレームの位置情報を生成することに用いられる。第２カプセル化ユニット５３は、前記ビデオストリームの各層のストリームが位置する多重サブフレームの位置情報を前記放送チャネルフレームにカプセル化することに用いられる。送信ユニット５４は前記放送チャネルフレームを受信端末に送信することに用いられる。ベース層ストリーム、エンハンスメント層ストリームはそれぞれが属する層に応じて、放送チャネルフレームにおいて異なる多重サブフレームで搬送される。ビデオストリームを受信する信頼性を保証するために、好ましくは、ＣＭＭＢシステムにマルチキャストサービスをサポートさせるように、各層のストリームを搬送する多重サブフレームの間に所定の時間間隔が開けられていてもよい。好ましくは、各層のストリームの多重サブフレームが異なる多重フレームに位置し、各層のストリームが位置する多重サブフレームの位置情報が簡単に記述されるように、好ましくは、各層のストリームが各多重フレームにおける同じ番号の多重サブフレームに位置する。
【００３７】
図５に示すようなモバイルマルチメディア放送システムにおける階層送信装置は、ＣＭＭＢシステム側に適用される。
【００３８】
図５に示すようなモバイルマルチメディア放送システムにおける階層送信装置の各処理ユニットの実現機能は、図２における関連記載を参照して理解されると当業者は理解すべきである。図５に示すようなモバイルマルチメディア放送システムにおける階層送信装置の各ユニットの機能は、プロセッサー上で動作するプログラムによって実現されてもよいし、又は、具体的な論理回路によって実現されてもよい。
【００３９】
図６は、本発明に係るモバイルマルチメディア放送システムにおける階層受信装置のアーキテクチャである。図６に示すように、本発明に係るモバイルマルチメディア放送システムにおける階層受信装置は、監視ユニット６０、受信ユニット６１、復号化ユニット６２及び出力ユニット６３を含む。ここで、監視ユニット６０は、ビデオサービスにおけるビデオストリームの各層のストリームが位置する、放送チャネルフレームの多重サブフレームの位置情報を監視することに用いられる。受信ユニット６１は、当該受信ユニット６１が所属する受信端末のビデオストリーム処理能力に応じて、ベース層ストリームを受信し、又は前記ベース層ストリーム及び対応するエンハンスメント層ストリームを受信することに用いられる。復号化ユニット６２は、前記ベース層ストリーム、又は前記ベース層ストリーム及び対応するエンハンスメント層ストリームを復号化することに用いられる。出力ユニット６３は前記ベース層ストリームのビデオデータ、又は前記ベース層ストリームとエンハンスメント層ストリームとの結合により生成されたビデオデータを出力することに用いられる。
【００４０】
図６に示すようなモバイルマルチメディア放送システムにおける階層受信装置は受信端末側に適用される。
【００４１】
図６に示すようなモバイルマルチメディア放送システムにおける階層受信装置の各処理ユニットの実現機能は、図４における関連記載を参照して理解されると当業者は理解すべきである。図６に示すようなモバイルマルチメディア放送システムにおける階層受信装置の各ユニットの機能は、プロセッサー上で動作するプログラムによって実現されてもよいし、又は具体的な論理回路によって実現されてもよい。
【００４２】
以上の説明は、本発明の好ましい実施例に過ぎず、本発明の保護範囲を限定するものではない。
【図１】
0005543590.tif 000002
【図２】
0005543590.tif 000003
【図３】
0005543590.tif 000004
【図４】
0005543590.tif 000005
【図５】
0005543590.tif 000006
【図６】
0005543590.tif 000007